(57)【特許請求の範囲】
【請求項１】
複数の箱形建物ユニットを連結して構成された居室部と、この居室部の上面に配置されるとともに複数の木質パネルを組合わせて構成された屋根部と、を有し、
前記木質パネルは、前記箱形建物ユニット上面に載置される屋根床パネルと、この屋根床パネル上に傾斜支持される屋根パネルと、を有し、
前記箱形建物ユニットは、柱、梁を組合わせて構成される骨組みを有し、この骨組みの柱頭には、隣接する前記箱形建物ユニット同士を連結する連結プレートが設けられ、前記木質パネルの一部は前記連結プレートおよびボルトで連結する構造を利用して固定され、
前記連結プレートにはガイドピンが立設され、前記屋根床パネルは前記連結プレート上に前記ガイドピンにガイドされて載置され、
前記箱形建物ユニット上面の前記連結プレートのない部分には、前記連結プレートの上面と略面一となる厚み調整部材が設けられていることを特徴とするプレハブ式建物。
【請求項２】
請求項１に記載のプレハブ式建物において、
前記屋根床パネルは一部が前記居室部を構成する前記建物ユニットの外壁から外側に突出していることを特徴とするプレハブ式建物。
【請求項３】
請求項２に記載のプレハブ式建物において、
前記屋根部は切妻型屋根に構成され、前記突出側は妻面側であることを特徴とするプレハブ式建物。
【発明の詳細な説明】
【０００１】
【発明の属する技術分野】
本発明は、プレハブ式建物に係り、さらに詳しくは、予め工場で生産される複数の箱形建物ユニットおよび木質パネルを用いて建てられるプレハブ式建物に関する。
【０００２】
【背景技術】
従来、住宅等の建物として、柱や壁、屋根等の部材を予め工場で生産し、現場で組立てるプレハブ式建物が普及している。
このようなプレハブ式建物としては、例えば、軽量鉄骨を主材として鉄骨フレームを形成した箱形の建物ユニットを積層する箱形ユニット方式、あるいは、木材・集成材を骨組みとし、合板パネル等を用いて床、天井および壁面等を形成した木質パネルを、建設現場で組立てて建てる木質パネル方式などが多用されている。
これらの方式のうち、木質パネル方式は、床や天井等が面状要素の状態で搬送されるため、建築現場への搬送作業が効率的で容易であるが、居室内の造作や設備等を工場で施行することはできない。一方、箱形ユニット方式では、予め工場で所定容積の立体を構成するため、什器備品の多い居室部分の製作には有効である。
【０００３】
【発明が解決しようとする課題】
ところで、箱形ユニット方式でも、屋根部分は内部造作が不要なので、工場で立体化する利点が少ない。そのため、立体的なユニットではなく、束を立設するとともに、その束に屋根パネルを支持させる屋根構造も用いられている。
しかし、箱形ユニット方式では、鉄骨構造が基本となるため、束も鉄骨系となり、屋根パネルにも鉄骨フレームが用いられる。束は、固定プレートに束部材を立設して構成され、取付けに際しては、固定プレートを例えば梁の所定位置に、シノ等を利用して位置決めをした後、ボルトで止めて固定している。また、束はブレース等で補強されており、さらに、屋根パネルを取付けるための屋根パネル取付金具も複数個必要となる等、必要以上に構造が複雑化するとともに、重量化するという問題が生じる。その結果、組立て作業が繁雑となり、多くの手間がかかっている。
【０００４】
本発明の目的は、建物の屋根部の構造を簡単化するとともに、重量を軽量化し、組立て作業の容易化を図ることのできるプレハブ式建物を提供することにある。
【０００５】
【課題を解決するための手段】
請求項１に記載の発明は、図面を参照して説明すると、図１に示すように、複数の箱形建物ユニット１１，１２を連結して構成された居室部１５と、この居室部１５の上面に配置されるとともに複数の木質パネルを組合わせて構成された屋根部２０と、を有し、前記木質パネルは、前記箱形建物ユニット上面に載置される屋根床パネルと、この屋根床パネル上に傾斜支持される屋根パネルと、を有し、前記箱形建物ユニットは、柱、梁を組合わせて構成される骨組みを有し、この骨組みの柱頭には、隣接する前記箱形建物ユニット同士を連結する連結プレートが設けられ、前記木質パネルの一部は前記連結プレートおよびボルトで連結する構造を利用して固定され、前記連結プレートにはガイドピンが立設され、前記屋根床パネルは前記連結プレート上に前記ガイドピンにガイドされて載置され、前記箱形建物ユニット上面の前記連結プレートのない部分には、前記連結プレートの上面と略面一となる厚み調整部材が設けられていることを特徴とするプレハブ式建物１０である。
【０００６】
このような本発明では、プレハブ式建物の屋根部が複数の木質パネルを組合わせて構成される。従って、鉄骨系の束構造のような複雑な構造および煩雑な取付け作業が不要となるので、建物の屋根部の構造が簡単化されるとともに、木質パネルは釘打ち等で組立てられるので、組立て作業の容易化を図れる。また、屋根部が木質パネルを組み合わて構成されているので、屋根部の軽量化を図れる。
また、このような本発明では、箱形建物ユニット上に屋根床パネルが載せられ、その屋根床パネル上に屋根部が設けられる。屋根床パネルを設けることによって、居室部と屋根部とが区分けされるので、両者の境界処理が容易である。
さらに、このような本発明では、屋根部を構成する木質パネルの一部は、建物ユニット同士を連結する連結プレートを利用して固定される。必ず使用される部材を兼用することができるので、木質パネルの固定用に新たな固定部材を用いなくてもよくなり、部材点数を減少することができる。
また、このような本発明では、屋根床パネルはガイドピンにガイドされて連結プレート上に載置される。従って、屋根床パネルの取付け時の位置決めが容易となり、また、屋根床パネル同士の連結強度も確保できる。
さらに、このような本発明では、連結プレートのない部分に厚み調整部材が設けられているので、屋根床パネルが箱形建物ユニット上面の連結プレート上に載置される際、厚み調整部材の幅全面で支持される。従って、屋根床パネルが連結プレートのない部分で撓むことがなくなるので、屋根床パネルの安定した固定が得られる。
【０００７】
以上の本発明において、居室部とは、箱形建物ユニットの内部空間をいう。さらに、屋根部の形状は限定されず、例えば、切妻型、寄せ棟型等どのような形式のものであってもよい。また、屋根部の内部は小屋裏居室として利用されることが好ましい。
また、以上の発明において、厚み調整部材は、連結プレート間に連続するものであってもよく、あるいは、所定の大きさのものを断続的に配置するものであってもよい。
【００１５】
請求項２に記載の発明は、請求項１に記載のプレハブ式建物において、図５に示すように、前記屋根床パネル２１は一部が前記居室部１５を構成する前記建物ユニット１２の外壁１３から外側に突出していることを特徴とするものである
【００１６】
このような本発明では、建物ユニットの外壁から外側に突出した屋根床パネルの一部が、プレハブ式建物の軒天部を兼用することができ、新たに軒天部を形成しなくてもよいので、その分の手間および部材点数の減少を図れる。また、例えば、シャッターボックス等の建物の付属部品を突出部の内側に収容できるので、シャッターボックス等が風雨に晒されず、それらの長寿命化を図れる。
以上の発明において、屋根床パネルの突出部は、建物の妻側または桁側のいずれでもよく、あるいは両方に設けられていてもよい。
【００１７】
請求項３に記載の発明は、請求項２に記載のプレハブ式建物において、図１に示すように、前記屋根部２０は切妻型屋根に構成され、前記突出側は妻面側であることを特徴とするものである。
このような本発明では、居室部の上面に切妻型屋根からなる屋根部を容易に設けることができ、また、建物の妻側面に軒天部が形成されるので、桁側のみに軒天部を形成すればよく、軒天部を設ける手間が少なくてすむ。
【００１８】
【発明の実施の形態】
以下に、本発明の一実施形態を図面に基づいて説明する。
図１には、プレハブ式建物１０が示されている。
図１では、木質パネルで構成される屋根部２０の屋根パネル２２の一部が剥がされた状態となっている。
プレハブ式建物１０は、複数の箱形下階建物ユニット１１、およびそれらの下階建物ユニット１１の上に載置される複数の箱形上階建物ユニット１２とで構成される居室部１５と、この居室部１５の上面に設けられる切妻屋根となった前記屋根部２０とを備えて構成されている。
【００１９】
下階建物ユニット１１および上階建物ユニット１２は、図２にも示すように、それぞれ長さ寸法の異なる２種類の建物ユニット１１Ａ，１１Ｂ、１２Ａ，１２Ｂを含んでいる。そして、このような建物ユニット１１Ａ，１１Ｂ、１２Ａ，１２Ｂは、図３に示すような構成となっている。
すなわち、建物ユニット１１，１２は、四隅に立設される４本の柱２と、これらの柱２の上端間同士および下端間同士を結合する各４本の天井梁３、床梁４とで構成された骨組み５を備えている。天井梁３の長辺梁間には、複数本の天井小梁６が架けわたされ、これらの天井小梁６の下面には、天井面材７が設けられている。また、床梁４の長辺梁間には、複数本の根太８が架けわたされ、これらの根太８の上面には、床面材９が設けられている。そして、骨組み５の柱２には、適宜、外壁１３が取付けられるようになっている。
【００２０】
このような、上階建物ユニット１２同士は、図３に示すように、連結用プレート１６で連結されている。この連結用プレート１６は、第１〜第３プレート１６Ａ，１６Ｂ，１６Ｃの３種類で構成されており、第１プレート１６Ａは、プレハブ式建物１０における外側の建物ユニット１２Ａ，１２Ｂの最も外側の四隅に設けられ、第２プレート１６Ｂは、上記外側の建物ユニット１２Ａ同士、建物ユニット１２Ｂ同士および建物ユニット１２Ａ，１２Ｂの境界部に設けられ、第３プレート１６Ｃは、建物ユニット１２Ａ，１２Ｂの角部が４つ集まる部位に設けられている。なお、下階建物ユニット１１同士の連結も上述と同じように行われている。
【００２１】
第１プレート１６Ａは、ほぼ四角形に形成されるとともに、建物ユニット１２Ａ，１２Ｂの柱の上面に立設された１本のガイドピン１８にガイドされて設けられ、この第１プレート１６Ａには１個のボルト挿通穴１７があけられている。
第２プレート１６Ｂは、第１プレート１６Ａを横方向に２枚並べたのとほぼ同じ大きさに形成され、隣接する建物ユニット１２Ａ，１２Ｂ等の隣り合う柱の上面に立設された２本のガイドピン１８にガイドされて設けられ、この第２プレート１６Ｂには、２個のボルト挿通穴１７があけられている。
第３プレート１６Ｃは、第２プレート１６Ｂを横方向に２枚並べたとほぼ同じ大きさに形成されるとともに、隣り合う４本の柱の上面に立設された４本のガイドピン１８にガイドされて設けられ、この第３プレート１６Ｃには、４個のボルト挿通穴１７があけられている。
【００２２】
建物ユニット１２Ａ，１２Ｂの上面、かつ、第１プレート１６Ａと第２プレート１６Ｂ、および第２プレート１６Ｂと第３プレート１６Ｃとの間には、厚み調整部材である調整プレート１９が設けられている。この調整プレート１９の板厚は、第１プレート１６Ａ等の板厚とほぼ同じ寸法に仕上げられ、従って、第１、第２、第３プレート１６Ａ，１６Ｂ，１６Ｃと調整プレート１９との上面は、ほぼ面一となっている。
【００２３】
前記屋根部２０は、前述のように切妻屋根となっており、それぞれ木質パネルで形成される複数枚の屋根床パネル２１と、複数枚の屋根パネル２２と、木質パネルを含み形成される妻側屋根外壁２３と、桁側屋根外壁２４とを備えて構成されている。また、屋根部２０の内部は小屋裏居室５５（図６参照）となっている。
【００２４】
屋根床パネル２１は、図２に示すように、上階建物ユニット１２Ａに対応する第１床パネル２１Ａと、上階建物ユニット１２Ｂに対応する第２床パネル２１Ｂとの長さの異なる２種類で形成されている。
屋根床パネル２１Ａ，２１Ｂは、図５に示すように、枠体２６と、当該枠体２６に張付けられたパネル部材２７とを含み形成され、各床パネル２１Ａ，２１Ｂの対向する端部同士は接触するとともに、他端部は、建物ユニット１２Ａ，１２Ｂにおける短辺方向の外壁から外側に突出しており、オーバーハング構造となっている。
【００２５】
屋根床パネル２１の突出した部位の下面外側には、図６に示すように、軒部材３０が設けられている。この軒部材３０は、枠体３０Ａと、当該枠体３０Ａの外側面に張り付けられた面材３０Ｂと、枠体３０Ａ内に詰め込まれた断熱材３０Ｃとを含み構成されている。また、このような軒部材３０と前記外壁１３との間、かつ、屋根床パネル２１の下面の部位には、別の断熱材３１が設けられ、さらに、枠体３０Ａの下端には、外壁１３側に延びた軒天井３２が設けられている。
【００２６】
このような屋根床パネル２１は、前記第１、第２、第３プレート１６Ａ，１６Ｂ，１６Ｃおよび調整プレート１９の上面に、前記ガイドピン１８にガイドされて載置されるようになっている。そのため、屋根床パネル２１には、ガイドピン１８に対応する挿通穴２８があけられている。
【００２７】
屋根床パネル２１の上階建物ユニット１２Ａ等への取付けは、屋根床パネル２１の第１、第２パネル２１Ａ，２１Ｂを、対応する建物ユニット１２Ａ等の第１、第２、第３プレート１６Ａ，１６Ｂ，１６Ｃの上面に、ガイドピン１８にガイドさせて載せ、ボルト３４を屋根床パネル２１の挿通穴２９から各プレート１６Ａ，１６Ｂ，１６Ｃのボルト挿通穴１７に差し込み、建物ユニット１２Ａ等における天井梁３側の図示しない取付け部のねじ穴に螺合させて取付けるようになっている。
【００２８】
前記屋根パネル２２は、図６に示すように、枠体２２Ａに屋根面材２２Ｂを張付けて形成され、所定の面積を有する矩形状となっており、複数枚の屋根パネル２２が、建物１０の棟から軒先に向かって下がる方向に傾斜して設けられている。屋根パネル２２は、屋根の傾斜方向に２枚並設されるようになっている。
【００２９】
妻側屋根外壁２３は、図４に示すように、前記屋根床パネル２１上面に取付けられる外壁用パネル３６と、図５に示すように、その一面に設けられる屋根外壁部材４３とを備えて構成されている。
外壁用パネル３６は、屋根床パネル２１の幅寸法と同じ幅寸法に形成された中央パネル３７と、その両側に外側パネル３８と、これらの外側パネル３８の外側に設けられる三角形状の最外側パネル３９と、中央パネル３７および外側パネル３８の上部に設けられる三角形状の上部パネル４０とを備え形成されている。
【００３０】
中央パネル３７は、図６に示すように、枠体３７Ａと、当該枠体３７Ａの室内側面に取付けられた内側面材３７Ｂと、外側面に取付けられた外側面材３７Ｃと、これらの面材３７Ｂ，３７Ｃの間に詰め込まれた断熱材３７Ｄとを含み構成されている。
外側パネル３８等、他の各パネル３８〜４０の構造は、図示しないが、中央パネル３７の上記構造とほぼ同じとなっている。そして、各パネル３７〜４０を組合わせたとき、その底辺長さが、３枚の前記屋根床パネル２１の幅分とほぼ等しい三角形状となるように構成されている。
このような外壁用パネル３６の外側には、前記軒部材３０に取付部材４２を介して前記外壁部材４３が固定され、これにより、全体三角形状の前記妻側屋根外壁２３が構成されている。
【００３１】
桁側屋根外壁２４は、図４に示すように、第１床パネル２１Ａおよび第２床パネル２１Ｂの長さ方向に沿い、かつ、各パネル２１Ａ，２１Ｂの長さに対応して形成され、各パネル２１Ａ，２１Ｂの上面に取付けられるようになっている。
各床パネル２１Ａ，２１Ｂは、図６に示すように、所定高さに形成された枠体２４Ａと、当該枠体２４Ａの室内側面に取付けられた内側面材２４Ｂと、枠体２４Ａの外側面に取付けられた外側面材２４Ｂと、これらの面材２４Ａ，２４Ｂの間に詰め込まれた断熱材２４Ｄとを含み構成され、枠体２４Ａの上面には、屋根パネル２２を取付けるための結合桁２４Ｅが設けられている。
なお、外側面材２４Ｂの下端は屋根床パネル２１の側面途中まで延び、側面一部を覆っている。また、桁側屋根外壁２４の内側面材２４Ｂ側には、結合桁５４を介して、例えば小屋裏居室５５用の天井５６が設けられている。
【００３２】
以上のような妻側屋根外壁２３および桁側屋根外壁２４は、前記屋根床パネル２１に取付けられるようになっている。
すなわち、妻側屋根外壁２３の取付けは、図５に示すように、屋根床パネル２１を上階建物ユニット１２の上面に載置した後、妻側屋根外壁２３の外壁用パネル３６の底面を屋根床パネル２１に載せるとともに、外壁用パネル３６の例えば中央パネル３７の内側面材３７Ｂにあけられた開口を利用して、胴差しボルト４５を枠体３７Ａのボルト挿通穴から屋根床パネル２１の枠体２６のボルト穴に差し込み、胴差しボルト４５の先端ねじ部にナット４６を螺合させて固定する。その後、外壁用パネル３６に前記屋根外壁部材４３が取付けられ、これにより、妻側屋根外壁２３と屋根床パネル２１とが一体的に連結される。
【００３３】
桁側屋根外壁２４の取付けは、図６に示すように、屋根床パネル２１を上階建物ユニット１２の上面に載置した後、桁側屋根外壁２４の底面を屋根床パネル２１に載せるとともに、桁側屋根外壁２４の例えば内側面材２４Ｃにあけられた開口を利用して、胴差しボルト４５を桁側屋根外壁２４の枠体２４Ａのボルト挿通穴から屋根床パネル２１の枠体２６のボルト穴に差し込み、建物ユニット１２の天井梁３の上フランジ部３Ａのボルト穴を貫通させ、ナット４６を螺合させて固定する。これにより、桁側屋根外壁２４と屋根床パネル２１と上階建物ユニット１２とが一体的に連結されている。
なお、桁側屋根外壁２４の軒先側には、一端が屋根パネル２２の枠体２２Ａに固定された吊り部材３３を介して軒天井３５が設けられている。
【００３４】
また、屋根床パネル２１の上面には、妻側屋根外壁２３、桁側屋根外壁２４の他に、図７に示すように、屋根部２０の強度を確保するために、例えば２枚の内部体力壁４７が設けられている。内部体力壁４７の取付けは、図示しないが、内部体力壁４７を構成する枠部材から屋根床パネル２１の枠体２６に釘打ちする等して行われる。
【００３５】
図８に示すように、妻側屋根外壁２３、桁側屋根外壁２４および内部体力壁４７間には、屋根パネル２２を取付けるために、木材からなる第１母屋梁４８と第２母屋梁４９とが設けられている。第１母屋梁４８は屋根の棟部に設けられ、第２母屋梁４９は棟部と軒先部とのほぼ中間位置に設けられている。
【００３６】
屋根パネル２２の取付けは、妻側端部においては、所定の屋根パネル２２を妻側屋根外壁２３、桁側屋根外壁２４、第１母屋梁４８、第２母屋梁４９上に載せ、桁側屋根外壁２４に設けられている結合桁２４Ｅ、第１母屋梁４８、第２母屋梁４９等から適宜釘打ちする等して取付ける。両妻側間においては、所定の屋根パネル２２を桁側屋根外壁２４、第１母屋梁４８、第２母屋梁４９上に載せ、前記結合桁２４Ｅ、第１母屋梁４８、第２母屋梁４９等から適宜釘打ちする等して取付ける。
なお、屋根パネル２２は、一方の妻側屋根外壁２３側から順次取付け、最後に他方の妻側屋根外壁２３側に取付けられることが好ましい。
【００３７】
屋根パネル２２同士は、パネルの枠体２２Ａ同士を釘打ち等により結合して行われ、特に、屋根の傾斜方向の結合は、釘打ち等の結合の他に、図９に示すように、ほぼ直交する２面を有する固定金具５１を、１面を第２母屋梁４９の上面に設けられた結合桁５３に釘打ちで取付けておいて、他の面を棟側の屋根パネル２２の枠体２２Ａ端部に押し付け釘打ちして固定されている。軒側の屋根パネル２２の端部も同様に、固定金具５２（固定金具５１と勝手違い）を用いて固定されている。
【００３８】
次に、このようなプレハブ式建物１０の施工方法を説明する。
予め工場で生産された複数の下階および上階建物ユニット１１，１２、屋根床パネル２１、妻側屋根外壁２３、桁側屋根外壁２４、内部体力壁４７等をトラックで建設現場に搬送する。
基礎上に下階建物ユニット１１を順次載置、固定するとともに、隣り合う建物ユニット１１同士を連結プレートで連結する。１階建物ユニット１１の上に上階建物ユニット１２を載置するとともに、接合ピン等で互いを連結し、また、上階建物ユニット１２同士を連結プレート１６により連結する。
【００３９】
その後、上階建物ユニット１２上の所定位置に、屋根床パネル２１を順次載置固定する。この際、所定の屋根床パネル２１Ａ等を、連結プレート１６のガイドピン１８にガイドさせてプレート１６上に載せた後、ボルト３４で屋根床パネル２１と建物ユニット１２の天井梁３とを連結固定する。
なお、屋根床パネル２１において建物の妻側端部は、上階建物ユニット１２の外壁１３から突出させ、オーバーハング構造を構成する。
【００４０】
すべての屋根床パネル２１が取付けられたら、一方の妻側屋根外壁２３を胴差しボルト４５等で固定し、順次、内部体力壁４７、桁側屋根外壁２４を取付け固定し、最後に他方の妻側屋根外壁２３を取付け固定する。
次いで、両妻側屋根外壁２３、内部体力壁４７間に、第１、第２母屋梁４８，４９を架けわたし、これらの妻側屋根外壁２３、桁側屋根外壁２４、内部体力壁４７、第１、第２母屋梁４８，４９に支持させて、屋根パネル２２を取付け、その後、内部、外部の所定の仕上げ処理を行って、プレハブ式建物１０を完成させる。
【００４１】
このような実施形態によれば、次のような効果がある。
(1) プレハブ式建物１０の屋根部２０が、複数の木質パネルからなる屋根床パネル２１や、屋根パネル２２等を組合わせて構成される。従って、鉄骨系の束構造のような複雑な構造および煩雑な取付け作業が不要となるので、屋根部２０の構造が簡単化されるとともに、屋根パネル２２等は釘打ち等で組立てられるので、組立て作業の容易化を図れる。
【００４２】
(2) 屋根部２０が、前述のように、木質パネルからなる屋根床パネル２１、屋根パネル２２等を組合わせて構成されるので、屋根部２０の軽量化を図れる。
(3) 上階建物ユニット１２上に屋根床パネル２１が載せられ、その屋根床パネル２１上に屋根部２０の屋根床パネル２１が設けられるので、屋根床パネル２１を設けるだけで居室部１５と屋根部２０とが区分けされ、両者の境界処理が容易となる。
【００４３】
(4) 屋根床パネル２１は、上階建物ユニット１２同士を連結する連結プレート１６を利用して固定されるので、必ず使用される部材を兼用することができ、これにより、木質パネルの固定用に新たな固定部材を用いなくてもよくなり、部材点数を減少することができる。
(5) 桁側屋根外壁２４は、屋根床パネル２１上に載せるとともに、胴差しボルト４５で建物ユニット１２等の天井梁３に一体的に連結固定されるので、桁側屋根外壁２４と屋根床パネル２１との取付け、屋根床パネル２１と天井梁３との取付けを同時に行え、その結果、取付けの手間が少なくてすむ。
【００４４】
(6) 屋根床パネル２１は、ガイドピン１８にガイドされて連結プレート１６上に載置されるので、屋根床パネル２１の取付け時の位置決めが容易となり、また、屋根床パネル２１同士の連結強度も確保できる。
(7) 上階建物ユニット１２上において、連結プレート１６がない部分には厚み調整部材としての調整プレート１９が設けられているので、屋根床パネル２１が上階建物ユニット１２上面の連結プレート１６上に載置される際、調整プレート１９の幅全面で支持される。従って、屋根床パネル２１が連結プレート１６のない部分で撓むことがなくなり、屋根床パネル２１の安定した固定が得られる。
【００４５】
(8) 屋根床パネル２１の一部は、上階建物ユニット１２の外壁１３から外側に突出しているので、その部分で、プレハブ式建物１０の軒天部を兼用することができる。従って、新たに軒天部を形成しなくてもよいので、その分の手間および部材点数の減少を図れる。また、例えば、シャッターボックス等の建物の付属部品を突出部の内側に収容できるので、シャッターボックス等を収容した場合には、シャッターボックス等が風雨に晒されず、それらの長寿命化を図れる。
【００４６】
(9) 傾斜方向の屋根パネル２２同士は、それぞれの端部が、第２母屋梁４９に取付けた固定金具５１，５２により結合されているので、屋根パネル２２が強固に取付けられ、これにより、屋根パネル２２が風雨等によりあおられるおそれがなくなる。
【００４７】
なお、本発明は前記実施形態に限定されるものではなく、本発明の目的を達成できるものであれば、次のような変形形態でもよいものである。
例えば、前記実施形態では、プレハブ式建物１０を構成する下階および上階建物ユニット１１，１２は、長さ寸法の異なる２種類の建物ユニット１１Ａ，１１Ｂ、１２Ａ，１２Ｂをそれぞれ複数個組合わせて建てられているが、同じ種類のもの同士を組合わせるものであってもよい。この場合、屋根床パネルは１種類の建物ユニットに対応する１種類の屋根床パネルを使用すればよい。
【００４８】
また、前記実施形態では、屋根床パネル２１の妻側端部を上階建物ユニット１２の外壁１３から突出させたオーバーハング構造としたが、これに限らず、上階建物ユニット１２の桁側端部を外壁１３から突出させたオーバーハング構造としてもよい。あるいは、妻側、桁側の両方に突出させてもよい。
【００４９】
さらに、前記実施形態では、調整プレート１９を、上階建物ユニット１２の上面に設けた連結プレート１６間に連続して架けわたしてあるが、これに限らず、細切れのプレートを複数枚、断続的に配置するものであってもよい。
【００５０】
【発明の効果】
以上に説明したように、請求項１の発明によれば、プレハブ式建物の屋根部が複数の木質パネルを組合わせて構成される。従って、鉄骨系の束構造のような複雑な構造および煩雑な取付け作業が不要となるので、建物の屋根部の構造が簡単化されるとともに、木質パネルは釘打ち等で組立てられるので、組立て作業の容易化を図れる。また、屋根部が木質パネルを組合わせて構成されているので、屋根部の重量の軽量化を図れる。
【図面の簡単な説明】
【図１】本発明に係るプレハブ式建物の一実施形態を示す斜視図である。
【図２】前記実施形態の箱形建物ユニットと屋根床パネルとの関係を示す分解斜視図である。
【図３】前記実施形態のプレハブ式建物を構成する箱形建物ユニットを示す斜視図である。
【図４】前記実施形態の屋根床パネルと妻側屋根外壁および桁側屋根外壁の関係を示す分解斜視図である。
【図５】前記実施形態の妻側屋根外壁の端部を示す縦断面図である。
【図６】前記実施形態の桁側屋根外壁の端部を示す縦断面図である。
【図７】前記実施形態の屋根部に内部体力壁が設けられた状態を示す斜視図である。
【図８】前記実施形態の屋根パネルがない状態の屋根部を示す斜視図である。
【図９】前記実施形態の屋根パネルの傾斜方向の接続状態を示す縦断面図である。
【符号の説明】
１０  プレハブ式建物
１１  箱形建物ユニットである下階建物ユニット
１２  箱形建物ユニットである上階建物ユニット
１５  居室部
１６  連結プレート
１９  厚さ調整部材である調整プレート
２０  屋根部
２１  屋根床パネル
２２  屋根パネル
【図１】
0004391041.tif 000002
【図２】
0004391041.tif 000003
【図３】
0004391041.tif 000004
【図４】
0004391041.tif 000005
【図５】
0004391041.tif 000006
【図６】
0004391041.tif 000007
【図７】
0004391041.tif 000008
【図８】
0004391041.tif 000009
【図９】
0004391041.tif 000010